(57)【要約】【課題】設置位置による受信感度の低下を低減するプロジェクターを提供する。【解決手段】プロジェクター１は、光源１１と、光源１１から射出された光を、画像情報に応じて画像光に変調する光変調装置（液晶ライトバルブ１２Ｒ，１２Ｇ，１２Ｂ）と、光変調装置で変調された画像光を投写する投写光学系（投写レンズ１３）と、画像情報を無線受信する受信装置（ＷｉｒｅｌｅｓｓＨＤ受信機５０）と、受信装置の受信感度を監視する監視部（制御部２０）と、受信装置の向きを変更する駆動部６０と、受信感度に基づき、駆動部６０に受信装置の向きを変更させる制御部２０と、を備える。【選択図】図４
2013117660.tif 000002
【特許請求の範囲】
【請求項１】
光源と、
前記光源から射出された光を、画像情報に応じて画像光に変調する光変調装置と、
前記光変調装置で変調された前記画像光を投写する投写光学系と、
前記画像情報を無線受信する受信装置と、
前記受信装置の受信感度を監視する監視部と、
前記受信装置の向きを変更する駆動部と、
前記受信感度に基づき、前記駆動部に前記受信装置の向きを変更させる制御部と、
を備えることを特徴とするプロジェクター。
【請求項２】
請求項１に記載のプロジェクターであって、
前記制御部は、前記受信感度が所定の基準感度以上になるように、前記駆動部に前記受信装置の向きを変更させることを特徴とするプロジェクター。
【請求項３】
請求項１に記載のプロジェクターであって、
前記制御部は、前記受信感度が最も高くなるように、前記駆動部に前記受信装置の向きを変更させることを特徴とするプロジェクター。
【請求項４】
請求項１乃至３のいずれか一項に記載のプロジェクターであって、
前記監視部は、所定の時間間隔で前記受信感度を監視することを特徴とするプロジェクター。
【請求項５】
請求項１乃至３のいずれか一項に記載のプロジェクターであって、
前記プロジェクターに電源が投入された後、最初に前記受信装置が前記画像情報を無線受信したときに、前記制御部は、前記受信感度に基づき、前記駆動部に前記受信装置の向きを変更させることを特徴とするプロジェクター。
【請求項６】
請求項１乃至３のいずれか一項に記載のプロジェクターであって、
操作を受け付ける操作受付部をさらに有し、
前記操作受付部が所定の操作を受け付けたときに、前記制御部は、前記受信感度に基づき、前記駆動部に前記受信装置の向きを変更させることを特徴とするプロジェクター。
【請求項７】
光源と、前記光源から射出された光を、画像情報に応じて画像光に変調する光変調装置と、前記光変調装置で変調された前記画像光を投写する投写光学系と、前記画像情報を無線受信する受信装置と、前記受信装置の向きを変更する駆動部と、を有するプロジェクターの制御方法であって、
前記受信装置の受信感度を監視する監視ステップと、
前記監視ステップによって監視された受信感度に基づき、前記駆動部に前記受信装置の向きを変更させる制御ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
近年、ＷｉｒｅｌｅｓｓＨＤ（登録商標）を用いた無線通信装置が普及している。ＷｉｒｅｌｅｓｓＨＤを用いた無線通信は指向性が高いため、送信機と受信機の配置や向きに制限がある場合がある。このため、無線通信の伝送状態が良好となる方向へ指向方向を調整する無線通信手段を備える通信装置において、自装置または他の通信装置の調整を開始する操作指示を受け付けた場合に、指向方向を予め設定された方向に固定する通信装置が知られている（特許文献１）。このような通信装置によれば、ユーザーは、指向方向が固定された状態で、無線の伝送状態がより良好となる設置位置へ通信装置を設置することが可能になる。
【先行技術文献】
【特許文献】
【０００３】
【特許文献１】特開２０１１−１３０３６９号公報
【発明の概要】
【発明が解決しようとする課題】
【０００４】
このようなＷｉｒｅｌｅｓｓＨＤ通信を利用したシステムとして、ビデオ再生装置等から出力される画像情報をＷｉｒｅｌｅｓｓＨＤの送信機を用いて送信し、ＷｉｒｅｌｅｓｓＨＤの受信機を有するプロジェクターで受信して画像を投写する態様が知られている。このようなシステムでは、高画質の画像をワイヤレスでスクリーン等に投写させることが可能である。
【０００５】
しかしながら、このようなシステムにおいては、ＷｉｒｅｌｅｓｓＨＤの指向性が高いために、プロジェクターに対する送信機の設置位置によっては、受信感度が低下してしまうという問題がある。また、ＷｉｒｅｌｅｓｓＨＤ規格の送信機は、受信感度が低下した場合には、画像情報を劣化させて送信する場合もある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光を、画像情報に応じて画像光に変調する光変調装置と、前記光変調装置で変調された前記画像光を投写する投写光学系と、前記画像情報を無線受信する受信装置と、前記受信装置の受信感度を監視する監視部と、前記受信装置の向きを変更する駆動部と、前記受信感度に基づき、前記駆動部に前記受信装置の向きを変更させる制御部と、を備えることを特徴とする。
【０００８】
このようなプロジェクターによれば、受信装置は、画像情報を無線受信する。監視部は、受信感度を監視する。駆動部は受信装置の向きを変更する。そして、制御部は、受信感度に基づき、駆動部に受信装置の向きを変更させる。これにより、プロジェクターは、受信感度に応じて受信装置の向きを変更することが可能になる。
【０００９】
［適用例２］上記適用例に係るプロジェクターにおいて、前記制御部は、前記受信感度が所定の基準感度以上になるように、前記駆動部に前記受信装置の向きを変更させることを特徴とする。
【００１０】
このようなプロジェクターによれば、制御部は、受信感度が所定の基準感度以上になるように、受信装置の向きを変更させる。これにより、受信感度を所定の基準感度以上にすることができるため、画像情報の劣化を低減することができる。
【００１１】
［適用例３］上記適用例に係るプロジェクターにおいて、前記制御部は、前記受信感度が最も高くなるように、前記駆動部に前記受信装置の向きを変更させることを特徴とする。
【００１２】
このようなプロジェクターによれば、制御部は、受信感度が最も高くなるように、受信装置の向きを変更させる。これにより、受信感度を最も高くすることができるため、画像情報の劣化を低減することができる。
【００１３】
［適用例４］上記適用例に係るプロジェクターにおいて、前記監視部は、所定の時間間隔で前記受信感度を監視することを特徴とする。
【００１４】
このようなプロジェクターによれば、監視部は、所定の時間間隔で受信感度を監視し、制御部は受信感度に応じて、駆動部に受信装置の向きを変更させことができる。これにより、随時、受信感度に応じて受信装置の向きを変更させることが可能になる。
【００１５】
［適用例５］上記適用例に係るプロジェクターにおいて、前記プロジェクターに電源が投入された後、最初に前記受信装置が前記画像情報を無線受信したときに、前記制御部は、前記受信感度に基づき、前記駆動部に前記受信装置の向きを変更させることを特徴とする。
【００１６】
このようなプロジェクターによれば、電源投入後、最初に画像情報を無線受信したときに、受信感度に応じて、受信装置の向きを変更させことができる。これにより、ユーザーが意識することなく、受信感度に応じて受信装置の向きを変更させることが可能になる。
【００１７】
［適用例６］上記適用例に係るプロジェクターにおいて、操作を受け付ける操作受付部をさらに有し、前記操作受付部が所定の操作を受け付けたときに、前記制御部は、前記受信感度に基づき、前記駆動部に前記受信装置の向きを変更させることを特徴とする。
【００１８】
このようなプロジェクターによれば、所定の操作を受け付けたときに、受信感度に応じて、受信装置の向きを変更させことができる。これにより、ユーザーは所望のタイミングで、受信感度に応じて受信装置の向きを変更させることが可能になる。
【００１９】
［適用例７］本適用例に係るプロジェクターの制御方法は、光源と、前記光源から射出された光を、画像情報に応じて画像光に変調する光変調装置と、前記光変調装置で変調された前記画像光を投写する投写光学系と、前記画像情報を無線受信する受信装置と、前記受信装置の向きを変更する駆動部と、を有するプロジェクターの制御方法であって、前記受信装置の受信感度を監視する監視ステップと、前記監視ステップによって監視された受信感度に基づき、前記駆動部に前記受信装置の向きを変更させる制御ステップと、を備えることを特徴とする。
【００２０】
このようなプロジェクターの制御方法によれば、プロジェクターは、受信感度に応じて受信装置の向きを変更することが可能になる。
【００２１】
また、上述したプロジェクターにおいて、前記無線受信（無線通信）は、ＷｉｒｅｌｅｓｓＨＤ規格に準拠することが可能である。これにより、高品位な画像や音声等が受信可能となる。さらに、プロジェクターと画像送信機器との接続を簡易化することができる。
【００２２】
また、上述したプロジェクター、およびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢメモリー等）等、前記コンピューターが読み取り可能な種々の媒体を利用することができる。
【図面の簡単な説明】
【００２３】
【図１】実施形態のプロジェクターを前方から見た斜視図。
【図２】プロジェクターが備えるＷｉｒｅｌｅｓｓＨＤ受信機を示す斜視図。
【図３】ＷｉｒｅｌｅｓｓＨＤ送信機とプロジェクターとの間の無線通信電波の到達範囲の説明図であり、（ａ）は、上方から見た平面図、（ｂ）は、側方から見た側面図。
【図４】プロジェクターの概略構成を示すブロック図。
【図５】最も受信感度の高い位置にＷｉｒｅｌｅｓｓＨＤ受信機を回動する処理のフローチャート。
【図６】所定の基準感度以上になるようにＷｉｒｅｌｅｓｓＨＤ受信機を回動する処理のフローチャート。
【発明を実施するための形態】
【００２４】
（実施形態）
以下、実施形態として、光源から射出された光を画像信号に基づいて変調して光学像を形成し、この光学像を外部のスクリーン等に投写するプロジェクターについて、図面を参照して説明する。
【００２５】
図１は、本実施形態のプロジェクターを前方から見た斜視図である。
図１に示すように、プロジェクター１は、装置本体を収容する筐体５を備えて構成されており、筐体５の上面５ｔには、ユーザーにより入力操作が行われる操作パネル２１が配置されている。筐体５の前面５ｆには、投写レンズ１３が露出されており、この投写レンズ１３から、画像情報に基づく画像が前方の投写面（図示せず）に投写される。
【００２６】
筐体５の前面５ｆの内側には、ＷｉｒｅｌｅｓｓＨＤ受信機５０が内蔵されており、ＷｉｒｅｌｅｓｓＨＤ受信機５０は、図示しない外部のＷｉｒｅｌｅｓｓＨＤ送信機から送信された画像情報の無線電波を受信する。ＷｉｒｅｌｅｓｓＨＤ受信機５０が、受信装置に相当する。また、ＷｉｒｅｌｅｓｓＨＤ受信機５０の側方には、ＷｉｒｅｌｅｓｓＨＤ受信機５０を矢印のように回動させるための駆動部６０が備えられている。
【００２７】
図２は、本実施形態のプロジェクター１が備えるＷｉｒｅｌｅｓｓＨＤ受信機５０を示す斜視図である。
図２に示すように、ＷｉｒｅｌｅｓｓＨＤ受信機５０は、モジュールとして構成されており、モジュールの前面５０ｆには、無線通信電波の送受信を行うためのアンテナ部５１が露出されている。なお、ＷｉｒｅｌｅｓｓＨＤ受信機５０のデフォルト位置（初期位置）は、図１および図２に示すように、アンテナ部５１が、投写レンズ１３の投写方向と略同一方向を向いている。
【００２８】
図３は、ＷｉｒｅｌｅｓｓＨＤ送信機とプロジェクター１との間の無線通信電波の到達範囲の説明図であり、（ａ）は、上方から見た平面図、（ｂ）は、側方から見た側面図である。
図３（ａ）、（ｂ）では、図１に示したように、ＷｉｒｅｌｅｓｓＨＤ受信機５０がデフォルト位置になっている場合の無線通信電波の到達範囲を表している。図３（ａ）、（ｂ）に示すように、ＷｉｒｅｌｅｓｓＨＤ送信機１００とＷｉｒｅｌｅｓｓＨＤ受信機５０との間の無線通信電波は指向性が高いため、ＷｉｒｅｌｅｓｓＨＤ送信機１００およびプロジェクター１の設置範囲が限られている。
【００２９】
図４は、プロジェクター１の概略構成を示すブロック図である。
図４に示すように、プロジェクター１は、画像投写部１０、制御部２０、操作パネル２１、画像情報入力部３０、画像処理部３１、ＯＳＤ処理部３２、ＷｉｒｅｌｅｓｓＨＤ受信機５０、駆動部６０等を備えており、これらは、筐体５の内部に収容されている。
【００３０】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、表示部に相当するものであり、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００３１】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３２】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００３３】
制御部２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１の動作を統括制御する。つまり、制御部２０は、コンピューターとして機能する。また、制御部２０は、タイマー（図示せず）を内蔵しており、受信感度を監視する所定の時間を計測する。
【００３４】
操作パネル２１は、ユーザーのキー操作を受け付ける操作受付部に相当するものであり、ユーザーがプロジェクター１に対して各種指示を行うための複数の操作キーを備えている。本実施形態の操作パネル２１が備える操作キーとしては、電源のオン・オフを切り替えるための電源キー、入力された画像情報を切り替えるための入力切替キー、各種設定用のメニュー画像を表示させるメニューキー、メニュー画像における項目の選択等に用いられる方向キー、選択した項目を確定させるための決定キー、ＷｉｒｅｌｅｓｓＨＤ受信機５０の受信感度が最も高くなるように、ＷｉｒｅｌｅｓｓＨＤ受信機５０を回動させる感度調整キー等がある。
【００３５】
ユーザーが操作パネル２１の各種操作キーを操作すると、操作パネル２１は、この操作を受け付けて、操作された操作キーに対応する制御信号を制御部２０に出力する。そして、制御部２０は、操作パネル２１から制御信号が入力されると、入力された制御信号に基づく処理を行って、プロジェクター１の動作を制御する。なお、操作パネル２１の代わりに、あるいは操作パネル２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００３６】
ＷｉｒｅｌｅｓｓＨＤ受信機５０は、ＷｉｒｅｌｅｓｓＨＤ規格に準拠した通信手段であり、モジュールとして構成されている。ＷｉｒｅｌｅｓｓＨＤ受信機５０は、外部のＷｉｒｅｌｅｓｓＨＤ送信機１００から無線通信信号を受信する。ＷｉｒｅｌｅｓｓＨＤ送信機１００は、ビデオ再生装置２００等に接続されており、ビデオ再生装置２００から画像情報や音声情報等を入力し、その画像情報や音声情報を無線通信信号として送信する。また、ＷｉｒｅｌｅｓｓＨＤ受信機５０は、無線通信の受信感度の情報を制御部２０に伝達する。このときの受信感度を監視する制御部２０が、監視部に相当する。
【００３７】
駆動部６０は、モーターやギヤ等（いずれも図示せず）により構成されている。駆動部６０は、制御部２０の指示に基づいて、ＷｉｒｅｌｅｓｓＨＤ受信機５０を回動させる。本実施形態では、図１に示したように、駆動部６０はＷｉｒｅｌｅｓｓＨＤ受信機５０の側方に配置され、ＷｉｒｅｌｅｓｓＨＤ受信機５０を矢印方向に３６０度回動可能とする。なお、駆動部６０の配置や回動方向、および回動角度はこれに限定するものではない。
【００３８】
画像情報入力部３０は、複数の入力端子を備えており、これらの入力端子には、ビデオ再生装置２００やパーソナルコンピューター等、図示しない外部の画像供給装置から各種形式の画像情報が入力される。さらに、ＷｉｒｅｌｅｓｓＨＤ受信機５０から画像情報が入力される。制御部２０からの指示に基づき、画像情報入力部３０は画像情報を選択し、選択した画像情報を画像処理部３１に出力する。
【００３９】
画像処理部３１は、画像情報入力部３０から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部３１は、制御部２０の指示に基づいて、変換した画像情報に対して、明るさ、コントラスト、シャープネス、色合い等の画質を調整するための画質調整処理等を行い、処理後の画像情報をＯＳＤ処理部３２に出力する。
【００４０】
ＯＳＤ処理部３２は、制御部２０の指示に基づいて、入力された画像情報に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部３２は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３２は、必要なＯＳＤ画像情報をＯＳＤメモリーから読み出し、入力画像上の所定の位置にＯＳＤ画像が重畳されるように、画像処理部３１から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部３２は、画像処理部３１から入力される画像情報を、そのまま液晶駆動部１４に出力する。
【００４１】
液晶駆動部１４が、ＯＳＤ処理部３２から入力される画像情報に従って液晶ライトバルブ１２Ｒ，１２Ｇ，１２Ｂを駆動すると、液晶ライトバルブ１２Ｒ，１２Ｇ，１２Ｂによって画像情報に応じた画像光に変調され、この画像光が投写レンズ１３から投写される。
【００４２】
次に、プロジェクター１の動作について説明する。
本実施形態のプロジェクター１は、受信感度に応じてＷｉｒｅｌｅｓｓＨＤ受信機５０を回動させることができる。具体的には、プロジェクター１の電源が投入された後、最初にＷｉｒｅｌｅｓｓＨＤ受信機５０が画像情報の無線通信信号を受信した際に、最も受信感度の高い位置にＷｉｒｅｌｅｓｓＨＤ受信機５０を回動する。さらに、ユーザーが感度調整キーを押下した際にも、最も受信感度の高い位置にＷｉｒｅｌｅｓｓＨＤ受信機５０を回動する。また、所定の時間毎に受信感度を監視し、受信感度が所定の基準感度よりも低くなった場合に、所定の基準感度以上になるようにＷｉｒｅｌｅｓｓＨＤ受信機５０を回動する。
【００４３】
まず、プロジェクター１の電源が投入された後、最初にＷｉｒｅｌｅｓｓＨＤ受信機５０が画像情報の無線通信信号を受信した際、および、ユーザーによって感度調整キーが押下された際に、最も受信感度の高い位置にＷｉｒｅｌｅｓｓＨＤ受信機５０を回動する処理について説明する。ユーザーによる感度調整キーの押下が、所定の操作に相当する。
【００４４】
図５は、最も受信感度の高い位置にＷｉｒｅｌｅｓｓＨＤ受信機５０を回動する処理のフローチャートである。
プロジェクター１の電源が投入された後、最初にＷｉｒｅｌｅｓｓＨＤ受信機５０が画像情報の無線通信信号を受信、または、ユーザーによって感度調整キーを押下されると、制御部２０は、ステップＳ１０１からステップＳ１０４までの処理を１２回繰り返す（ループ）（ステップＳ１０１）。制御部２０は、ＷｉｒｅｌｅｓｓＨＤ受信機５０の現在の角度位置での受信感度を２回取得し、その平均を制御部２０内のメモリーに記憶する（ステップＳ１０２）。制御部２０は、駆動部６０に指示を出して、ＷｉｒｅｌｅｓｓＨＤ受信機５０を３０度回動させる（ステップＳ１０３）。そして、ステップＳ１０１に戻る。なお、本実施形態では、１回で回動させる角度を３０度とし、１２回ループさせるものとしたが、角度やループ回数はこれに限定するものではない。
【００４５】
ループが終了したら、制御部２０は、メモリーに記憶した受信感度の中で、最も受信感度が高かった角度位置に、ＷｉｒｅｌｅｓｓＨＤ受信機５０を回動させるように、駆動部６０に指示を出す。駆動部６０は、制御部２０の指示に従って、ＷｉｒｅｌｅｓｓＨＤ受信機５０を回動させる（ステップＳ１０５）。そして、最も受信感度の高い位置にＷｉｒｅｌｅｓｓＨＤ受信機５０を回動する処理を終了する。
【００４６】
上述したように、プロジェクター１は、最も受信感度の高い角度位置にＷｉｒｅｌｅｓｓＨＤ受信機５０を回動することができる。このとき、各角度位置において受信感度を２回ずつ取得して平均を算出しているため、取得した受信感度のばらつきを低減することができる。
【００４７】
次に、所定の時間毎に受信感度を監視し、受信感度が所定の基準感度よりも低くなった場合に、所定の基準感度以上になるようにＷｉｒｅｌｅｓｓＨＤ受信機５０を回動する処理について説明する。本実施形態では、所定の時間を３０秒とし、所定の基準感度を最大の受信感度の６０％とする。なお、所定の基準感度は、最大の受信感度の６０％に限定するものではない。
【００４８】
図６は、所定の基準感度以上になるようにＷｉｒｅｌｅｓｓＨＤ受信機５０を回動する処理のフローチャートである。
制御部２０は、タイマーをスタートする（ステップＳ２０１）。そして、制御部２０は、３０秒経過したか否かを判断する（ステップＳ２０２）。３０秒経過していなければ、待ち続ける（ステップＳ２０２：ＮＯ）。なお、タイマーが計測する時間は３０秒に限定するものではない。
【００４９】
３０秒経過すると（ステップＳ２０２：ＹＥＳ）、制御部２０は、受信感度が閾値よりも低いか否かを判定する（ステップＳ２０３）。ここで、閾値は所定の基準感度とする。受信感度が閾値よりも低い場合（ステップＳ２０３：ＹＥＳ）、制御部２０は、タイマーをスタートする（ステップＳ２０４）。そして、制御部２０は、１０秒経過したか否かを判断する（ステップＳ２０５）。１０秒経過していなければ、待ち続ける（ステップＳ２０５：ＮＯ）。なお、タイマーが計測する時間は１０秒に限定するものではない。
【００５０】
１０秒経過すると（ステップＳ２０５：ＹＥＳ）、制御部２０は、受信感度が閾値（所定の受信感度）よりも低いか否かを判定する（ステップＳ２０６）。受信感度が閾値よりも低い場合（ステップＳ２０６：ＹＥＳ）、制御部２０は、駆動部６０に指示を出して、ＷｉｒｅｌｅｓｓＨＤ受信機５０を所定の角度、回動させる（ステップＳ２０７）。本実施形態では、所定の角度は３０度とする。なお、所定の角度は３０度に限定するものではない。そして、ステップＳ２０１に移行する。
【００５１】
受信感度が閾値以上の場合（ステップＳ２０６：ＮＯ）、ステップＳ２０１に移行する。同様に、受信感度が閾値以上の場合（ステップＳ２０３：ＮＯ）、ステップＳ２０１に移行する。
【００５２】
上述したように、プロジェクター１は、受信感度が所定の基準感度よりも低くなった場合に、所定の基準感度以上になるようにＷｉｒｅｌｅｓｓＨＤ受信機５０を回動することができる。このとき、受信感度がばらつく場合があるため、２回連続して閾値よりも低い場合に、ＷｉｒｅｌｅｓｓＨＤ受信機５０を回動させている。
【００５３】
上述した実施形態によれば、以下の効果が得られる。
（１）プロジェクター１のＷｉｒｅｌｅｓｓＨＤ受信機５０は、画像情報を無線受信する。制御部２０は、受信感度に基づき、駆動部６０にＷｉｒｅｌｅｓｓＨＤ受信機５０を回動させて、向き（角度位置）を変更させる。これにより、プロジェクター１は、受信感度に応じてＷｉｒｅｌｅｓｓＨＤ受信機５０を回動することが可能になる。これにより、プロジェクター１およびＷｉｒｅｌｅｓｓＨＤ送信機１００の設置位置の自由度が向上する。
【００５４】
（２）プロジェクター１によれば、プロジェクター１の電源が投入された後、最初にＷｉｒｅｌｅｓｓＨＤ受信機５０が画像情報の無線通信信号を受信した際に、受信感度が最も高くなるように、ＷｉｒｅｌｅｓｓＨＤ受信機５０を回動して、向き（角度位置）を変更する。これにより、ユーザーが意識することなく、受信感度を最も高くすることができるため、画像情報の劣化を回避することができる。
【００５５】
（３）プロジェクター１によれば、ユーザーによって感度調整キーを押下された際に、受信感度が最も高くなるように、ＷｉｒｅｌｅｓｓＨＤ受信機５０を回動して、向き（角度位置）を変更する。これにより、ユーザーは所望のタイミングで、受信感度を最も高くすることができるため、画像情報の劣化を回避することができる。
【００５６】
（４）プロジェクター１によれば、所定の時間（３０秒）毎に受信感度を監視し、受信感度が所定の基準感度（最大の受信感度の６０％）以上になるように、ＷｉｒｅｌｅｓｓＨＤ受信機５０を回動して、向きを変更する。これにより、受信感度を所定の基準感度以上にすることができるため、画像情報の劣化を低減することができる。
【００５７】
（５）プロジェクター１によれば、無線通信はＷｉｒｅｌｅｓｓＨＤ規格に準拠している。これにより、高品位な画像や音声等が受信可能となる。さらに、無線通信であるため、プロジェクター１とビデオ再生装置２００との接続を簡易化することができる。
【００５８】
なお、上述した実施形態に限定されず、種々の変更や改良等を加えて実施することが可能である。変形例を以下に述べる。
【００５９】
（変形例１）上記実施形態では、プロジェクター１の電源が投入された後、最初にＷｉｒｅｌｅｓｓＨＤ受信機５０が画像情報の無線通信信号を受信した際に、受信感度が最も高くなるように、ＷｉｒｅｌｅｓｓＨＤ受信機５０を回動して、向き（角度位置）を変更するものとしたが、受信感度が所定の基準感度以上になるように、ＷｉｒｅｌｅｓｓＨＤ受信機５０を回動して、向きを変更してもよい。
【００６０】
（変形例２）上記実施形態では、ユーザーによって感度調整キーを押下された際に、受信感度が最も高くなるように、ＷｉｒｅｌｅｓｓＨＤ受信機５０を回動して、向き（角度位置）を変更するものとしたが、受信感度が所定の基準感度以上になるように、ＷｉｒｅｌｅｓｓＨＤ受信機５０を回動して、向きを変更してもよい。
【００６１】
（変形例３）上記実施形態では、所定の時間（３０秒）毎に受信感度を監視し、受信感度が所定の基準感度以上になるように、ＷｉｒｅｌｅｓｓＨＤ受信機５０を回動して、向き（角度位置）を変更するものとしたが、受信感度が最も高くなるように、ＷｉｒｅｌｅｓｓＨＤ受信機５０を回動して、向きを変更してもよい。
【００６２】
（変形例４）上記実施形態では、駆動部６０は、ＷｉｒｅｌｅｓｓＨＤ受信機５０、即ち受信装置モジュールを回動するものとしたが、ＷｉｒｅｌｅｓｓＨＤ受信機５０のアンテナ部５１のみを回動可能として、受信感度に応じて回動させてもよい。
【００６３】
（変形例５）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００６４】
（変形例６）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００６５】
１…プロジェクター、５…筐体、５ｆ…前面、５ｔ…上面、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作パネル、３０…画像情報入力部、３１…画像処理部、３２…ＯＳＤ処理部、５０…ＷｉｒｅｌｅｓｓＨＤ受信機、５０ｆ…前面、５１…アンテナ部、６０…駆動部、１００…ＷｉｒｅｌｅｓｓＨＤ送信機、２００…ビデオ再生装置。
【図１】
2013117660.tif 000003
【図２】
2013117660.tif 000004
【図３】
2013117660.tif 000005
【図４】
2013117660.tif 000006
【図５】
2013117660.tif 000007
【図６】
2013117660.tif 000008